(57)【要約】【課題】電池が衝撃を受けても外れにくく、かつ、挿脱の容易な電子機器の電池のロック構造を提供すること【解決手段】  機器本体の電池収納ケースに設けられた係合部と電池とを係合させて、電池をスライドさせることにより電池をロック位置でロックさせるよう構成された電子機器における電池のロック構造において、電池収納ケースには、電池のスライドに伴い共にスライドするための電池係合固定手段と、ロック位置で前記電池をロックするロック位置決め手段を備えたスライド板を設け、電池のスライドに伴う前記スライド板のスライドにより、電池をロック位置で電池係合固定手段とロック位置決め手段によりロックさせる。【選択図】図１
2006216462.tif 000002
【特許請求の範囲】
【請求項１】
機器本体の電池収納ケースに設けられた係合部と電池とを係合させて、電池をスライドさせることにより電池をロック位置でロックさせるよう構成された電子機器における電池のロック構造において、
前記電池収納ケースには、前記電池のスライドに伴い共にスライドするための電池係合固定手段と、前記ロック位置で前記電池をロックするロック位置決め手段を備えたスライド板を設け、
前記電池のスライドに伴う前記スライド板のスライドにより、前記電池を前記ロック位置で前記電池係合固定手段と前記ロック位置決め手段によりロックさせること
を特徴とする電子機器における電池のロック構造。
【請求項２】
前記電池係合固定手段は、前記電池の係合溝と係合する係合片と、前記電池の後部を係止する係止片とからなること
を特徴とする請求項１に記載の電子機器における電池のロック構造。
【請求項３】
前記ロック位置決め手段には、摘みを備え、該摘みの操作により、前記電池のロック位置を解除するようにしたこと
を特徴とする請求項１、２に記載の電子機器における電池のロック構造。
【請求項４】
前記電池収納ケースには、押え片を備えた蓋を設け、該蓋を閉じることにより、前記押え片が前記ロック位置にある前記電池の後部を押えて前記ロック位置に電池を固定すること
を特徴とする請求項１、２、３に記載の電子機器における電池のロック構造。
【発明の詳細な説明】
【技術分野】
【０００１】
本発明は、電子機器における電池のロック構造に関すし、特に、模型用Ｒ／Ｃ送信機、デジタルカメラ、ビデオカメラ、携帯電話、パソコン等の携帯用電子機器の電池収容部に電池を着脱可能に収容保持する電池のロック構造に関する。
【背景技術】
【０００２】
従来、この種の電池着脱機構の構成としては、例えば電池の側面に係合溝を設けるとともに、前記収容部に前記係合溝と係合する係合凸部を設けたものがある。
特許文献１に記載された通信機器の電池のロック構造は、図８に示すように、通信機器の筐体５１の側部には係合溝５３、底部には係止部５５、上部には接続端子５６が設けられ、電池５２の側部には突条５４が設けられ、これらの突条５４と係合溝５３を合致させた状態で電池５２を筐体５１に対して所定方向に直線移動させることにより係合溝５３と突条５４との係合状態を形成して係止部５５でロック状態とし、係止部５５のロックを外し、電池５２を所定方向と異なる方向に直線移動させることにより係合状態を解除するようにしている。
【０００３】
しかしながら、このような電池のロック構造では、収容部での電池の保持を確実に行なうため係止部５５が大型となり、これら大型となった係止部５５に対して係脱を行なうためのスペースも大きくなり、機器の収容部の小型化、ひいては機器の小型化を図ることが難しいという問題があった。また、電池を収容部に収容保持させるための電池の移動は、電池自体をつかんで動かす移動距離が大きくなり、電池収納部の設計に自由度がなくなるという問題があった。
【０００４】
特許文献２に記載されているビデオカメラ用の電池取付け構造は、図９に示すように、ビデオカメラ６０の下方側部に電池収納部６１、蓋６２が設けられ、電池６３には、方向指示マーク６４、引っかかり溝６５が設けられ、収納の際には蓋６２をあけ、電池６３を側方から押し込み、次いで図９の上方にスライドさせる（方向マーク６４の方向）と、引っかかり溝６５と収納部６１内の引っかかり片とが係合し、図示されていないが電池６３の底部の凹部と収納部６１のバネで付勢されている突起とが係合して確実に電池６３をロックし、蓋６２を被せて収納する。ロックを解除する際には、電池６３を押して突起とのロックを解除し、下方向にスライドさせて、引っかかり片と引っかかり溝６５との係合を外し、取り出すこととなる。
特許文献２に記載されている電池のロック機構であると、スライド距離が短くなるとともに、比較的電池の収納に空き空間を必要とせず、電池の収納構造の設計の自由度が増す。
【０００５】
【特許文献１】実公昭６２−３１９７５号公報
【特許文献２】特許第３４９０８６３号
【０００６】
模型用Ｒ／Ｃ送信機１０は、図７に示すように、表面側（図７（ａ））には各種操作用ボタン、ダイヤル、表示部（詳細な説明は省略）が設けられ、裏面側に（図７（ｂ））は、電池２０を収納する電池収納部１１が設けられている。
【０００７】
図６は、電池収納部１１を構成する電池収納ケース１２と電池２０のみを示しており、電池２０は、機器本体の接続端子と収納位置に置いて接続される電極２１と、接続される電池２０の底部に電池の表裏を判別すると共に電池収納空間１４の中央位置を位置決めするための長溝２３、凹部２４、長手方向両側面の辺部に設けられた係合溝２２、から構成されたほぼ直方体形状をなしている。
【０００８】
電池収納部１１は、長手方向両側部に電池２０の係合溝２２とかみ合う電池係合片１３が設けられ、図示されていないが送信機１０には、電池の電極２１とかみ合う接続端子、電池２０の凹部２４と係合する突部が設けられている。
【０００９】
電池２０を電池収納部１２に収納する場合は、まず、電池２０を電池収納空間１４内に挿入し、図６において、斜め下側にスライドさせると、電池２０の係合溝２２、凹部２４がそれぞれ電池収納ケース１２の電池係合片１３、送信機本体の突部（図示なし）とかみ合い、電池２０の電極２１が送信機１０の本体の接続端子に接続され、蓋を被せることで、蓋体に設けられた突条と電池２０の長溝２３が係合し、電池２０が電池収納部１１にロックされることとなる。
【発明の開示】
【発明が解決しようとする課題】
【００１０】
特許文献２や図６に示される電池ロック構造は、特許文献１に記載されているような電池ロック構造と比して、挿入位置からロック位置にするためのスライド距離が短いため、電池の交換を頻繁に行う電子機器に適したものであるが、電池の挿脱が簡便なだけに、振動等で外れやすいという課題が存在している。
【００１１】
デジタルカメラ、ビデオカメラ、携帯電話、パソコンの等の携帯用電子機器は、移動中や屋外使用が多いこと、特に、模型用Ｒ／Ｃ送信機においては、屋外使用のみならず、使用環境が他の電子機器と比して、悪条件の場合が多い上に、送信機を落としたり、他のものにぶつけたりして、衝撃を与えた場合、装着した電池が外れやすいという傾向があると共に、電池が外れて被操縦体のコントロールが不能になると大きな事故につながる場合もあり得て、電池はずれの防止と電池の装着の簡便さとを共に備えた電池のロック構造が求められている。
【００１２】
本発明は、上記の課題を解決して、電池が衝撃を受けても外れにくく、かつ、挿脱の容易な電子機器における電池のロック構造を提供することを目的とする。
【課題を解決するための手段】
【００１３】
本発明は上記課題を解決するために、機器本体の電池収納ケースに設けられた係合部と電池とを係合させて、電池をスライドさせることにより電池をロック位置でロックさせるよう構成された電子機器における電池のロック構造において、前記電池収納ケースには、前記電池のスライドに伴い共にスライドするための電池係合固定手段と、前記ロック位置で前記電池をロックするロック位置決め手段を備えたスライド板を設け、前記電池のスライドに伴う前記スライド板のスライドにより、前記電池を前記ロック位置で前記電池係合固定手段と前記ロック位置決め手段によりロックさせる様に構成される。
【００１４】
さらに、前記電池係合固定手段は、前記電池の係合溝と係合する係合片と、前記電池の後部を係止する係止片とから構成され、
前記ロック位置決め手段には、摘みを備え、該摘みの操作により、前記電池のロック位置を解除するように構成され、
前記電池収納ケースには、押え片を備えた蓋を設け、該蓋を閉じることにより、前記押え片が前記ロック位置にある前記電池の後部を押えて前記ロック位置に電池を固定するように構成される。
【発明の効果】
【００１５】
本発明の電子機器における電池のロック構造は、電池のロック位置へのスライド動作と共同してスライドする、ロック位置決め手段を備えたロック用弾性スライド板を備えているため、電池を電池収納ケースに収納して、電池をロックする方向へスライドさせるときは、ほとんど力を必要とせずにスライドできるため、容易に電池をロックすることができ、電池収納ケースに装填されてロックされた電池は、振動や衝撃を機器本体に与えてもはずれることがほとんどなくなり、電子機器としての操作の信頼性が大幅に増すこととなる。
また、ロック解除をするスライド摘みをロック用弾性スライド板に設け、スライド摘みの押圧のみでロックを解除できるようにしたため、従来のロック解除構造と変らない操作で、ロック、ロック解除作用をいずれも行うことができ、操作性にも優れたものである。
又、電池収納ケースの蓋に押え片を取り付け、蓋を閉めた状態でより確実に電池の動きを規制できることとなるため、電池のロック保持はより確実となる。
【発明を実施するための最良の形態】
【００１６】
本発明の電子機器における電池のロック構造は、模型用Ｒ／Ｃ送信機、デジタルカメラ、ビデオカメラ、携帯電話、パソコンの等の携帯用電子機器に適用されて実施されるものであるが、特に、実施するための形態として模型用Ｒ／Ｃ送信機に適用した実施例を、図１〜図５に基づいて、以下に説明する。
本発明の実施例の模型用Ｒ／Ｃ送信機（以下、「送信機」という。）に内蔵されている電池収納部や電池の説明は、図６に示した従来の電池収納部と電池と同一の構造のものは、同一の図番のまま説明する。
なお、本発明の実施例の説明をする際、電池が装着されてロック位置にスライドする方向を前方向とし、この前方向に対して、右側、左側、と表記することとする。
【００１７】
送信機１０は、図７に示すように、表面側（図７（ａ））には各種操作用ボタン、ダイヤル、表示部（詳細は省略）が設けられ、裏面側に（図７（ｂ））は、電池２０を収納する電池収納部１１が設けられ、蓋１５によって覆われている。
【００１８】
図１において、送信機１０に内蔵されている本発明の電池収納部１１は、電池収納ケース１２と電池２０のみを図示している。
電池２０は、従来の汎用の充電式電池であり、その底部に電池の表裏を判別すると共に電池収納空間１４の中央位置を位置決めするための凹部２４、長手方向両側面の辺部に設けられた係合溝２２、２２から構成されたほぼ直方体形状をなしている。
【００１９】
電池収納部１１の電池収納ケース１２は、長手方向の右壁１２Ｒの内面（前方向に対して右側）に電池２０の係合溝２２、２２とかみ合う一対の電池係合片１３、１３が設けられ、他方の長手方向の左壁１２Ｌ（前方向に対して左側）には、同様に電池２０の係合溝２２と係合する左側部電池係合片１８（図には、１つしか表示されていないが、右壁１２Ｒと同様に一対設けてもよい。）と、電池ロック構造部１７、電池２０の電極２１が設けられている前面部がロック位置で密着する前壁１２Ｆ、及び後壁１２Ｂとが設けられ、送信機１０に組み込まれている。電池収納ケース１２の蓋１５には、電池２０が挿入されてロック位置にロックされて、蓋１５が閉じられたとき電池２０の後方端部を係止して、ロック位置からの移動を止める押え片１６が形成されている。
【００２０】
そして、電池２０が図１の状態で電池収納ケース１２に挿入されたとき、電池２０の後端と後壁１２Ｂとの間は、ロック操作のし易さを考慮して、若干の空間が設けられている。
なお、電池２０の上面中央に図示されている長溝は、蓋１５や電池収納ケース１２にこの長溝と係合する突部を設けて、電池２０の係止をするようにしてもよい。
さらに、図示されていないが送信機１０には、電池の電極２１とかみ合う接続端子、電池２０の凹部２４と係合する突部が設けられている。
【００２１】
本発明の電池のロック構造は、図１の電池と電池収納ケースの斜視図、図２の電池を収納した電池収納ケースの斜視図、図３（ａ）の電池収納ケースの平面図、図３（ｂ）の電池収納ケースの壁を取り除いたロック解除位置を示す側面図、図３（ｃ）の電池収納ケースの壁を取り除いたロック位置を示す側面図に示されるように、電池収納ケース１２の左壁１２Ｌ（前方向に対して、左側）の下辺部に位置する電池ロック構造部１７、及び電池２０のロック位置へのスライドに伴いスライドして、電池２０をロック位置にロックし、電池２０のロック位置解除作用に伴い共にロック解除位置へスライドするロック用弾性スライド板３０により構成されている。
【００２２】
電池ロック構造部１７は、電池収納ケース１２の一方の長手方向左壁１２Ｌ（前方向に対して、左側）側の底部にロック用弾性スライド板３０がはめ込まれる空間と、左壁１２Ｌ内の後部に、ロック用弾性スライド板３０をロック位置、ロック解除位置に位置決めするための位置決め溝３３が形成されている。位置決め溝３３は、左壁１２Ｌに、ロック用弾性スライド板３０をロック位置に固定保持するためのロック位置決め溝３５と、該ロック位置決め溝３５と段付で連続して後部側に形成されたロック解除位置決め溝３４とからなり、該ロック解除位置決め溝３４はロック位置決め溝３５より下方にそして後部側に形成されている（図１，図４参照）。さらに、電池収納ケース１２の左壁１２Ｌには、左側部電池係合片１８が、電池収納ケース１２の後左側底部には、ロック用弾性スライド板３０の後端部を常に上方に付勢するための弾性片３７が形成されている。
ロック用弾性スライド板３０は、突片３１、スライド摘み３６が形成されている側を後部側にして、電池ロック構造部１７にはめ込まれる。
【００２３】
ロック用弾性スライド板３０は、突片３１、一対のスライド板係合片３２、３２、スライド摘み３６、電池係止片３８が設けられている薄型の弾性板より構成されている。
突片３１は、電池収納ケース１２の左壁１２Ｌの後端側部に形成された位置決め溝３３に係合するようロック用弾性スライド板３０の後端側部から左方向に突出して形成されている。
【００２４】
一対のスライド板係合片３２、３２は、電池収納ケース１２の右壁１２Ｒに設けられた一対の電池係合片１３、１３と対応する位置に形成されている。後方向にあるスライド板係合片３２は、ロック解除位置の状態（図３（ｂ））において、左側部電池係合片１８の下に位置し、ロック位置の状態（図３（ｃ））では、前方向にスライドし、左側部電池係合片１８とは平面的に見て、重ならない位置に位置するよう構成される。
スライド摘み３６は、ロック用弾性スライド板３０の後端部に、前下がりでその上部に滑り止めが加工されている薄型の部材で、電池収納ケース１２に蓋１５を被せた状態で蓋１５と接触しないような高さに形成されている。スライド摘み３６の上端部は、ロック用弾性スライド板３０をロック位置からロック解除位置へスライド（後ろ方向へのスライド）がし易いように、前下がりで、滑り止め加工がされている。
【００２５】
電池係止片３８は、電池収納ケース１２に電池２０が収納された際（図２（ａ））、電池２０の後端部が位置する位置に形成されていて、電池２０の後端部を係止するようになされている。
電池収納空間１４に収納された電池２０は、右側の係合溝２２、２２を電池係合片１３、１３、左側の係合溝２２をスライド板係合片３２、３２、左後側の係合溝２２を左側部電池係合片１８、電池後端部を電池係止片３８に、それぞれ、係合、係止されて、ロック位置への前方スライド、ロック解除位置への後方スライドされることになる。
特に、ロック位置において、電池２０は、前部を電池収納ケース１２の前壁１２Ｆとの密着、右側部を係合溝２２、２２と電池係合片１３、１３との係合、係止、左側部の前部をスライド板係合片３２と係合溝２２、及び後部をスライド板係合片３２・左側部電池係合片１８との係合、係止、後端部を電池係止片３８との係止により、前後左右とも係合・係止されてロック位置に強固に固定されることになる。
【００２６】
以下に、電池収納ケース１２に挿入された電池２０をロックするロック作用、及びロックを解除するロック解除作用、つまり電池２０の電池収納ケース１２に対する挿脱作用について、図４，図５に基づいて説明する。
図４は、ロック作用を模式的に図示したもので、電池２０は、理解を容易にするために電池収納ケース１２（図示上では、左壁１２Ｌ）より出した状態を図示され、電池ロック構造部１７とのスライド作用の際の位置関係を図示している。図５は、ロック解除作用を模式的に示したもので、スライド摘み３６を操作してロック位置からロック解除位置までロック用弾性スライド板３０をスライドさせた際の、突片３１とロック位置決め溝３５，ロック解除位置決め溝３４との位置関係を図示している。
【００２７】
電池２０を電池収納部１１に収納する場合、送信機１０の裏側に取り付けられている電池収納ケース１２の蓋１５を開ける。蓋１５を開けて、電池２０の前部（電極２１の形成されている側）を前方向に向けて電池収納空間１４に収納し、電池２０を止まるまで前方向にスライドさせると、図２に示される位置になって、電池２０の電池ロック位置となり、確実に電池収納ケース１２にロックされることとなる。このロック位置において、電池２０は前後部、左右側部がそれぞれ、上述のように、固定支持されている。
【００２８】
電池２０をロック位置、つまり前方向へスライドさせると、電池２０の係合溝２２、２２がそれぞれ電池収納ケース１２の電池係合片１３、１３とかみ合い、電池２０の電極２１が送信機１０の本体の接続端子に接続され、ロックされることは、従来のものと同様である。
本発明においては、同時に、ロック用弾性スライド板３０の一対のスライド板係合片３２、３２が電池２０の左側の係合溝２２、２２と係合し、電池２０の後端部が電池係止片３８に係止される。そして、電池２０の前方へのスライドに伴い、ロック用弾性スライド板３０は前方に電池２０と共にスライドし、突片３１が位置決め溝３３のロック解除位置決め溝３４からスライドし、ロック位置決め溝３５にはまり込み、ロック用弾性スライド板３０は固定されて、電池２０はロックされることになる。
そして、蓋１５を被せることで、押え片１６の電池２０の後端部との係合により、電池２０が電池収納ケース１２にロックされることとなる。
【００２９】
電池収納ケース１２への電池２０のロック及びロック解除について、図４、図５に基づいて、詳細に説明する。
【００３０】
図４（ａ）は、電池２０を電池収納ケース１２の電池収納空間１４に収納した状態を模式的に示したものである。
この収納状態において、電池２０の左側係合溝２２、２２の後端にロック用弾性スライド板３０のスライド板係合片３２、３２が接し、電池２０の後端部が電池係止片３８と接し、電池２０は、スライド板係合片３２、３２と電池係止片３８とで前後が固定され、電池収納ケース１２の左側の左側部電池係合片１８が左側係合溝２２内に入った状態になる。
なお、スライド板係合片３２は、左側部電池係合片１８のほぼ直下に位置している。
【００３１】
ロック用弾性スライド板３０の突片３１は、電池収納ケース１２に設けられている弾性片３７により常に上方に付勢されて、位置決め溝３３のロック解除位置決め溝３４に押しつけられた状態となっている。
【００３２】
図４（ｂ）は、図４（ａ）の状態から、電池２０をロック位置へスライドさせるように、電池２０に前方向の力を加えた状態を模式的に示したものである。
電池２０の前方向へのスライド動作に伴い、左側部電池係合片１８は係合溝２２の横溝に入り込むようになり、かつ、係合溝２２の後ろ方向端部がスライド板係合片３２を押すこととなるため、ロック用弾性スライド板３０が前方向にスライドし、スライド板係合片３２は左側部電池係合片１８の下方をスライドし、突片３１もロック解除位置決め溝３４に接しながらスライドする。
【００３３】
図４（ｃ）は、電池２０を電池収納ケース１２にロックした状態を模式的に示したものである。
電池２０のスライド動作により、電池２０がロック位置にまでスライドすると従来のものと同様のロック作用がなされる。つまり、電池２０の前部にある凹部２４、係合溝２２がそれぞれの係合部（電池係合片１３、１３、左側部電池係合片１８等）と係合し、ロックされる。
本発明の場合は、更に次のようなロック作用がなされることとなる。
【００３４】
まず、左側部電池係合片１８は係合溝２２の横溝に入り込んで、係合溝２２に入り込み、前、後方向のスライド板係合片３２は係合溝２２と係合したままスライドし、後方向のスライド板係合片３２は左側部電池係合片１８との重なり位置から外れ、突片３１はロック解除位置決め溝３４からロック位置決め溝３５へ弾性片３７の付勢作用により確実にはめ込まれる。
【００３５】
本発明の電池のロック構造は、図４（ｃ）の状態で電池２０がロックされると、突片３１がロック位置決め溝３５にはめ込まれて係合し、ロック用弾性スライド板３０が、後方にスライドすることができないようになり、電池２０は、前部を電池収納ケース１２の前壁と、側部を電池係合片１３、１３、スライド板係合片３２、３２、後部を電池係止片３８とにそれぞれ固定され、確実にロックされることとなり、振動や、本体機器の落下等の衝撃によって電池２０がはずれることはなくなる。
さらに、突片３１は、弾性片３７による上方への付勢により、ロック位置決め溝３５からはずれることがなく、より強固にロックされる。
そして、蓋１５が閉じた状態であれば、蓋１５の押え片１６が電池２０の後方後端部を押えているため、重量のある電池２０が振動、衝撃によってもがたつくことがなく、より強固に、かつ確実にロックされる。
以上説明した本発明のロック構造のロック作用は、ユーザからすると、従来例の電池のロック作用、つまり、電池を舞う方向にスライドさせるという操作、と全く同様な操作でよいため、何ら違和感なく使用することができる。
【００３６】
電池２０のロックを解除する作用が、図５（ａ）〜（ｃ）に模式的に示されている。
【００３７】
図５（ａ）は、図４（ｃ）と同一の電池ロック状態をロック解除に必要な部材だけを模式的に示したもので、この状態では、電池２０は、振動、衝撃ではずれることはない。
【００３８】
電池２０のロックを解除する場合、まず、スライド摘み３６を押圧する。スライド摘み３６は、前下がりに滑り止めを付けて形成されているため、スライド摘み３６をユーザーの指で下後方に押圧し（図５（ｂ））、突片３１のロック位置決め溝３５からの係合が弾性片３７の付勢に抗してはずれ、ロック用弾性スライド板３０が後方にスライドし、突片３１はロック解除位置決め溝３４に移動し、図５（ｃ）に模式的に示された状態（図４（ａ）に示す状態と同様の状態）となり、ロックが解除される。
【００３９】
電池２０のロックが解除された状態で、電池２０を電池収納ケース１２から取り出せば、図１の状態となり、新たな電池２０の装填が可能となる。
【産業上の利用可能性】
【００４０】
本発明は、実施例においては、模型用Ｒ／Ｃ送信機への実施の態様のみを記載したが、デジタルカメラ、ビデオカメラ、携帯電話、パソコンの等の携帯用電子機器の電池収納ケースとして応用できる。
【図面の簡単な説明】
【００４１】
【図１】本発明の電子機器の実施例としての模型用Ｒ／Ｃ送信機の電池と電池収納ケースの斜視図。
【図２】本発明の電子機器の実施例の模型用Ｒ／Ｃ送信機の電池収納ケースにロックされた電池を示す斜視図。
【図３】本発明の実施例の電池のロック構造のロック用弾性スライド板の構成を示す図で、（ａ）は平面図、（ｂ）、（ｃ）は電池収納ケースの壁を取り除いた側面図。
【図４】本発明の電池のロック構造のロック作用の動作説明図。
【図５】本発明の電池のロック構造のロック解除の動作説明図。
【図６】従来の模型用Ｒ／Ｃ送信機の電池のロック構造を示す斜視図。
【図７】模型用Ｒ／Ｃ送信機の外形を示す平面図。
【図８】特許文献１に示される従来の電子機器の電池のロック構造を示す斜視図。
【図９】特許文献２に示される従来の電子機器の電池のロック構造を示す側面図及び斜視図。
【符号の説明】
【００４２】
１０  模型用Ｒ／Ｃ送信機
１１  電池収納部
１２  電池収納ケース
１３  電池係合片
１４  電池収納空間
１５  蓋
１６  押え片
１７  電池ロック構造部
１８  左側部電池係合片
２０  電池
２１  電極
２２  係合溝
２３  凹部
３０  ロック用弾性スライド板
３１  突片
３２  スライド板係合片
３３  位置決め溝
３４  ロック解除位置決め溝
３５  ロック位置決め溝
３６  スライド摘み
３７  弾性片
３８  電池係止片
【図１】
2006216462.tif 000003
【図２】
2006216462.tif 000004
【図３】
2006216462.tif 000005
【図４】
2006216462.tif 000006
【図５】
2006216462.tif 000007
【図６】
2006216462.tif 000008
【図７】
2006216462.tif 000009
【図８】
2006216462.tif 000010
【図９】
2006216462.tif 000011